(57)【要約】【課題】アタッシュケースやスーツケースを含むこの種のケースに用いる蝶番において、カバーケースの開放角度を所定の角度で止め、これを確実に保持できるようにする。【解決手段】この蝶番Ｈでは、一方の羽根１が他方の羽根２に対して対称の位置から９０°まで回動されると、ストッパーフレーム４の他端４２が係止凹部２２内を一方の側面部２２１から他方の側面部２２２に向けてスライドして、板ばね５の係止爪５３と係止凹部２２の他方の側面部２２２との間に挟持固定され、この固定されたストッパーフレーム４で、一方の羽根１を他方の羽根２に対して９０°の角度に支持するようにした。【選択図】図８
2018200056.tif 000002
【特許請求の範囲】
【請求項１】
一側部に相互に連通可能な筒部を有する一対の羽根と、前記一対の羽根が前記各筒部を連通可能に組み合わせられて前記各筒部に挿通され、前記一対の羽根を開閉可能に連結する連結軸とからなり、
前記一対の羽根のうち一方の羽根に前記連結軸と平行に当該一方の羽根の一方の面から他方の面に向けて凸の断面円弧状に形成され、前記一方の羽根の両端間に延びる係止溝と、
前記一対の羽根のうち他方の羽根に前記連結軸と平行に当該他方の羽根の一方の面から他方の面に向けて凸の断面コ字形に形成され、前記他方の羽根の両端間に延びる係止凹部と、
一端が前記係止溝に係止され、他端が前記係止凹部内に当該係止凹部の前記連結軸に近い一方の側面部から前記連結軸に遠い他方の側面部に向けてスライド可能に配置され、前記一方の羽根と前記他方の羽根との間に架け渡され、前記一方の羽根を前記他方の羽根に対して前記連結軸を中心として対称の位置から所定の角度まで回動案内する枠状のストッパーフレームと、
前記他方の羽根の前記係止凹部の底面部に開口を形成され、前記他方の羽根の前記他方の面側に基端部を固定されて前記他方の面側で前記開口上に架け渡しされ、先端部側に、前記開口を通し、前記係止凹部の前記他方の側面部との間で前記ストッパーフレームの他端を挟持可能に略Ｖ字形に突出する係止爪を有する板ばねと、
を備え、
前記一方の羽根が前記他方の羽根に対して前記連結軸を中心にして対称の位置から前記他方の羽根に向けて所定の角度まで回動されると、これに連動して、前記ストッパーフレームの他端が前記係止凹部内を前記一方の側面部から前記他方の側面部に向けてスライドし、前記板ばねの係止爪に衝接して前記板ばねの弾性変位により前記係止爪を乗り超えて、前記ストッパーフレームの他端が弾性復帰する前記板ばねの前記係止爪と前記係止凹部の前記他方の側面部との間に挟持固定され、この固定されたストッパーフレームで、前記一方の羽根を前記他方の羽根に対して所定の角度に支持する、
ことを特徴とする蝶番。
【請求項２】
ストッパーフレームの一端から他端までの長さ及び係止凹部の一方の側面部から他方の側面部までの長さの調整により、一方の羽根の他方の羽根に対して回動可能な所定の角度が調整される請求項１に記載の蝶番。
【請求項３】
ストッパーフレームは略四角形の枠状をなす請求項１又は２に記載の蝶番。
【請求項４】
他方の羽根の係止凹部の底面部に開口が他方の側面部寄りに形成されて当該開口の一方の側面部側縁部に板ばね取付部が設けられ、板ばねは略矩形状の平板からなり、先端側の一部が前記係止凹部の両側面部と平行に断面略Ｖ字形に形成されて係止爪をなし、前記板ばねの基端部を前記他方の羽根の他方の面側で前記板ばね取付部に固定されて前記他方の面側で前記開口上に架け渡され、前記板ばねの前記係止爪が前記開口を通して前記係止凹部内に突出して配置される請求項１乃至３のいずれかに記載の蝶番。
【発明の詳細な説明】
【技術分野】
【０００１】
本発明は、例えばアタッシュケース、スーツケースなどの各種ケースに用いる蝶番に関する。
【背景技術】
【０００２】
一般に、アタッシュケースは、ハンドルを有する箱形の本体ケースと、この本体ケースの底面に蝶番を介して開閉自在に枢着されるカバーケースとを備え、本体ケースとカバーケースが軽金属や合成樹脂などの硬質材から向かい合う断面コ字型のシェル構造になっている。かかる構造からなるアタッシュケースは各種の物品を大量に収納でき、しかもこれらの物品が形崩れすることなく保護されるので、主としてビジネスマンに広く用いられている（特許文献１参照）。また、スーツケースやトランクなども概ね同様である。
【０００３】
ところで、この種のケースに用いられる蝶番は、例えば特許文献２に開示されているように、一側部に相互に連通可能な筒部を有する一対の羽根と、一対の羽根が各筒部を連通可能に組み合わせられて各筒部に挿通され、一対の羽根を開閉可能に連結する連結軸とからなり、一方の羽根がカバーケースの底面に取り付けられ、他方の羽根が本体ケースの底面に取り付けられて、カバーケースと本体ケースが結合され、蝶番の一方の羽根が他方の羽根に対して回動することにより、カバーケースが本体ケースに対して開閉自在になっている。
【０００４】
また、この種のケースに用いられる蝶番としては、特許文献３に開示されているように、カバーケースの開放角度を所定の角度で止めるストッパー機能を有したものもある。この蝶番では、連結軸に一側部を枢着した一対の羽根にそれぞれ、連結軸に近接して連結軸と平行に凸条部が設けられ、この凸条部の高さに適宜の寸法を設定されて、両凸条部の上端が衝合するまでカバーケースを開くことができるようになっている（特許文献３）。
【先行技術文献】
【特許文献】
【０００５】
【特許文献１】実開平０６−０５７２２５号公報
【特許文献２】実開昭６２−１１８８７０号公報
【特許文献３】特開平１１−１６９２１７号公報
【発明の概要】
【発明が解決しようとする課題】
【０００６】
ところで、アタッシュケースやスーツケースなどこの種のケースに取り付けられる蝶番は、特許文献２に示すような、所謂平蝶番が多く、一方の羽根が他方の羽根に対して１８０°程開いてしまうため、カバーケースが開きすぎる、という問題がある。
これに対して、特許文献３に示す蝶番は、カバーケースの開放角度を所定の角度で止めるストッパーが付いているので、一方の羽根が他方の羽根に対して所定の回動角度で止まり、カバーケースが本体ケースに対して略起立状態になって開きすぎることがないものの、このストッパーは、既述のとおり、一方の羽根に設けられた凸条部を他方の羽根に設けられた凸条部に衝合させるだけなので、本体ケース上に立ち上げられたカバーケースは、カバーケースを閉める方向に外力が作用すると、簡単に倒れてしまい、カバーケースの開放角度を確実に保持することができない、という問題がある。
【０００７】
本発明は、このような従来の問題を解決するもので、アタッシュケースやスーツケースを含むこの種のケースに用いる蝶番において、カバーケースの開放角度を所定の角度で止め、これを確実に保持できるようにすること、を目的とする。
【課題を解決するための手段】
【０００８】
上記目的を達成するために、本発明の蝶番は、
一側部に相互に連通可能な筒部を有する一対の羽根と、前記一対の羽根が前記各筒部を連通可能に組み合わせられて前記各筒部に挿通され、前記一対の羽根を開閉可能に連結する連結軸とからなり、
前記一対の羽根のうち一方の羽根に前記連結軸と平行に当該一方の羽根の一方の面から他方の面に向けて凸の断面円弧状に形成され、前記一方の羽根の両端間に延びる係止溝と、
前記一対の羽根のうち他方の羽根に前記連結軸と平行に当該他方の羽根の一方の面から他方の面に向けて凸の断面コ字形に形成され、前記他方の羽根の両端間に延びる係止凹部と、
一端が前記係止溝に係止され、他端が前記係止凹部内に当該係止凹部の前記連結軸に近い一方の側面部から前記連結軸に遠い他方の側面部に向けてスライド可能に配置され、前記一方の羽根と前記他方の羽根との間に架け渡され、前記一方の羽根を前記他方の羽根に対して前記連結軸を中心として対称の位置から所定の角度まで回動案内する枠状のストッパーフレームと、
前記他方の羽根の前記係止凹部の底面部に開口を形成され、前記他方の羽根の前記他方の面側に基端部を固定されて前記他方の面側で前記開口上に架け渡しされ、先端部側に、前記開口を通し、前記係止凹部の前記他方の側面部との間で前記ストッパーフレームの他端を挟持可能に略Ｖ字形に突出する係止爪を有する板ばねと、
を備え、
前記一方の羽根が前記他方の羽根に対して前記連結軸を中心にして対称の位置から前記他方の羽根に向けて所定の角度まで回動されると、これに連動して、前記ストッパーフレームの他端が前記係止凹部内を前記一方の側面部から前記他方の側面部に向けてスライドし、前記板ばねの係止爪に衝接して前記板ばねの弾性変位により前記係止爪を乗り超えて、前記ストッパーフレームの他端が弾性復帰する前記板ばねの前記係止爪と前記係止凹部の前記他方の側面部との間に挟持固定され、この固定されたストッパーフレームで、前記一方の羽根を前記他方の羽根に対して所定の角度に支持する、
ことを要旨とする。
また、この蝶番は各部に次のような構成を備えることが好ましい。
（１）ストッパーフレームの一端から他端までの長さ及び係止凹部の一方の側面部から他方の側面部までの長さの調整により、一方の羽根の他方の羽根に対して回動可能な所定の角度が調整される。
（２）ストッパーフレームは略四角形の枠状をなす。
（３）他方の羽根の係止凹部の底面部に開口が他方の側面部寄りに形成されて当該開口の一方の側面部側縁部に板ばね取付部が設けられ、板ばねは略矩形状の平板からなり、先端側の一部が前記係止凹部の両側面部と平行に断面略Ｖ字形に形成されて係止爪をなし、前記板ばねの基端部を前記他方の羽根の他方の面側で前記板ばね取付部に固定されて前記他方の面側で前記開口上に架け渡され、前記板ばねの前記係止爪が前記開口を通して前記係止凹部内に突出して配置される。
【発明の効果】
【０００９】
本発明の蝶番によれば、上記の構成により、一対の羽根の一方に連結軸と平行に延びる係止溝を有し、一対の羽根の他方に連結軸と平行に延びる係止凹部を有し、枠状のストッパーフレームの一端が係止溝に係止され、他端を係止凹部内にスライド可能に配置されて、ストッパーフレームが一方の羽根と他方の羽根との間に架け渡しされ、板ばねの一端が他方の羽根に他方の面側で固定されて板ばねが他方の面側で係止凹部の底面部の開口上に架け渡しされるとともに、板ばね先端側の略Ｖ字形の係止爪が開口を通して係止凹部内に突出して配置され、一方の羽根が他方の羽根に対して連結軸を中心として対称の位置から他方の羽根に向けて所定の角度まで回動されると、これに連動して、ストッパーフレームの他端が係止凹部内を一方の側面部から他方の側面部に向けてスライドし、板ばねの係止爪に衝接して板ばねの弾性変位により係止爪を乗り超えることにより、このストッパーフレームの他端が弾性復帰する板ばねの係止爪と係止凹部の他方の側面部との間に挟持固定され、この固定されたストッパーフレームで、一方の羽根を他方の羽根に対して所定の角度に支持するようにしたので、この蝶番をアタッシュケースやスーツケースを含むこの種のケースに用いることにより、カバーケースの開放角度を本体ケースに対して所定の角度で止め、これを確実に保持することができる、という本発明独自の格別な効果を奏する。
【図面の簡単な説明】
【００１０】
【図１】本発明の一実施の形態における蝶番の全体構成を示す図（（ａ）は正面図（ｂ）は下端面図）
【図２】同蝶番の特に一方の羽根の構成を示す図（（ａ）は正面図（ｂ）は下端面図）
【図３】同蝶番の特に他方の羽根の構成を示す図（（ａ）は正面図（ｂ）は下端面図）
【図４】同蝶番の特に連結軸の構成を示す図（（ａ）は正面図（ｂ）は下端面図）
【図５】同蝶番の特にストッパーフレームの構成を示す図（（ａ）は正面図（ｂ）は下端面図）
【図６】同蝶番の特に板ばねの構成を示す図（（ａ）は正面図（ｂ）は下端面図）
【図７】同蝶番の開閉動作を示す図
【図８】同蝶番を適用したアタッシュケースの開閉動作を示す図
【発明を実施するための形態】
【００１１】
次に、この発明を実施するための形態について図を用いて説明する。
図１に蝶番全体の構成を示し、図２−図６にこの蝶番の各部の構成を示している。
【００１２】
図１に示すように、この蝶番Ｈは、一側部に相互に連通可能な筒部１０、２０を有する一対の羽根１、２と、この一対の羽根１、２が各筒部１０．２０を連通可能に組み合わせられて各筒部１０、２０に挿通され、一対の羽根１、２を開閉可能に連結する連結軸３とからなる。
この場合、左側の一方の羽根１は、図２に示すように、上下に少し長い略矩形状の平板からなり、左側部の近傍で上下に２つ、右側部の近傍で上下に２つ、ねじ挿通孔１１が穿たれている。また、この羽根１の右側部には、この右側部を５等分にしたとして上から２番目の５等分の１の側部と下から２番目の５等分の１の側部に、それぞれ、帯状の延長部を有し、これらがそれぞれ羽根１の表面側で略円筒状にカールされて、２つの筒部１０が一体に形成される。
右側の他方の羽根２は、図３に示すように、上下方向の長さが左側一方の羽根１と同じで左右方向の長さが左側一方の羽根１より長い左右方向に長い略矩形状の平板からなり、左側部の近傍で上下に２つ、右側部の近傍で上下に２つ、ねじ挿通孔２１が穿たれている。また、この羽根２の左側部には、この左側部を５等分にしたとして上から１番目の５等分の１の側部と上から３番目の５等分の１の側部と下から１番目の５等分の１の側部に、それぞれ、帯状の延長部を有し、これらがそれぞれ羽根２の表面側で一方の羽根１の各筒部１０と同径の略円筒状にカールされて、３つの筒部２０が一体に形成される。
連結軸３は、図４に示すように、細長い円柱状の棒材からなり、外径は各羽根１、２の各筒部１０、２０の内径より僅かに小径で長さが各羽根１、２の上下方向の長さと略同じ長さを有している。
このようにして一方の羽根１と他方の羽根２がそれぞれ、双方の各筒部１０、２０を噛み合わされて相互に連通可能に組み合わせられ、これら各筒部１０、２０間に連結軸３が通されて、各羽根１、２が開閉可能に連結される。
【００１３】
この蝶番Ｈでは、特に、一方の羽根１を他方の羽根２に対して所定の角度に止め、これを保持するストッパーＳを有し、このストッパーＳは、一対の羽根１、２のうちの一方の羽根１に係止溝１２、一対の羽根１、２のうちの他方の羽根２に係止凹部２２、一方の羽根１と他方の羽根２との間に枠状のストッパーフレーム４、他方の羽根２の係止凹部２２の底面部２２３に開口２２０及びこの開口２２０上に板ばね５を、それぞれ備えて構成される。
【００１４】
係止溝１２は、図２に示すように、一方の羽根１に連結軸３と平行にこの一方の羽根１の一方の面から他方の面に向けて凸の断面円弧状に形成され、一方の羽根１の両端部間に延びる。なお、ここで、羽根１の一方の面はこの蝶番Ｈをアタッシュケースなどこの種のケースに取り付けた場合に表に表れない面をいい、他方の面は表に表れる面をいう。以下の説明では、一方の面を裏面といい、他方の面を表面ということにする。他の各部材でも同様である。
この場合、係止溝１２は一方の羽根１の左右方向中間に、さらに詳しく言えば、左右方向中央よりも少し筒部１０側に偏った位置に、後述のストッパーフレーム４の一端が嵌合可能に裏面側から表面側に向けて凸の断面半円状に形成され、上下両端部間に延びる。
【００１５】
係止凹部２２は、図３に示すように、一対の羽根１、２のうち他方の羽根２に連結軸３と平行にこの他方の羽根２の一方の面から他方の面、すなわち、裏面から表面に向けて凸の断面コ字形に形成され、他方の羽根２の両端部間に延びる。また、この係止凹部２２の底面部２２３には開口２２０が形成される。
この場合、係止凹部２２は他方の羽根２の左右方向中間に、さらに詳しく言えば、左右方向中央よりも少し筒部２０側に偏った位置に、後述のストッパーフレーム４の他端が嵌合可能にかつ所定距離だけスライド可能に裏面側から表面側に向けて凸の断面コ字形に形成されて連結軸３に近い一方の側面部２２１、連結軸３に遠い他方の側面部２２２、及びこれら両側面部２２１、２２２間に連続する底面部２２３からなり、上下両端部間に延びる。また、この場合、開口２２０は、他方の側面部２２２寄りで上下方向中央に縦に長い矩形状に形成される。そして、この係止凹部２２の底面部２２３で開口２２０の一方の側面部２２１側縁部に板ばね取付部２２４が設けられて、上下に２つねじ孔２２５が取付ねじを羽根２の表面側から裏面側に向けて締結可能に形成される。
【００１６】
ストッパーフレーム４は、図５に示すように、全体が枠状に形成される。
この場合、ストッパーフレーム４は、丸棒材からなり、一端４１が一方の羽根１の係止溝１２に係止され、他端４２が他方の羽根２の係止凹部２２内で連結軸３に遠い他方の側面部２２２に配置されて、一方の羽根１と他方の羽根２との間に架け渡し可能に略四角形の枠状に形成される。
このようにしてストッパーフレーム４は、図１に示すように、一端４１が一方の羽根１の係止溝１２に係止され、他端４２が他方の羽根２の係止凹部２２内にこの係止凹部２２の連結軸３に近い一方の側面部２２１から連結軸３に遠い他方の側面部２２２に向けてスライド可能に配置され、一方の羽根１と他方の羽根２との間に架け渡され、一方の羽根１を他方の羽根２に対して連結軸３を中心にして対称の位置から他方の羽根２に向けて所定の角度まで回動案内する。
【００１７】
板ばね５は、図６に示すように、他方の羽根２の係止凹部２２の底面部２２３に開口２２０を形成され、他方の羽根２の他方の面側に、すなわち、他方の羽根２の表面側に基端部５２を固定されて他方の羽根２の表面側で開口２２０上に架け渡しされ、先端部５１側に、開口２２０を通し、係止凹部２２の他方の側面部２２２との間でストッパーフレーム４の他端４２を挟持可能に略Ｖ字形に突出する係止爪５３を有する。
この場合、板ばね５は長さ（左右方向の寸法）が開口２２０よりも長く幅（上下方向の寸法）が開口２２０よりも僅かに短い略矩形状の平板からなり、先端部５１側の一部が係止凹部２２の両側面部２２１、２２２と平行に断面略Ｖ字形に形成されて係止爪５３をなし、係止凹部２２の底面部２２３の各ねじ孔２２５に対応して、基端部５２に幅方向（上下）に２つねじ挿通孔５４が穿たれる。この板ばね５は、図１に示すように、基端部５２を他方の羽根２の他方の面側、すなわち、他方の羽根２の表面側で、基端部５２が板ばね取付部２２４に設置され、板ばね５の各ねじ挿通孔５４から２つの取付ねじ５５を通し板ばね取付部２２４の各ねじ孔２２５に締結されることにより固定されて、他方の羽根２の表面側で開口２２０上に架け渡しされ、板ばね５の係止爪５３が開口２２０を通して係止凹部２２内に突出して配置される。
【００１８】
この蝶番Ｈはかかる構成のストッパーＳを備え、図７に示すように、一方の羽根１が他方の羽根２に対して連結軸３を中心にして対称の位置（１８０°の位置）から他方の羽根２に向けて所定の角度まで回動されると、これに連動して、ストッパーフレーム４の他端４２が係止凹部２２内を一方の側面部２２１から他方の側面部２２２に向けてスライドし、板ばね５の係止爪５３に衝接して板ばね５の弾性変位により係止爪５３を乗り超えて、ストッパーフレーム４の他端４２が弾性復帰する板ばね５の係止爪５３と係止凹部２２の他方の側面部２２２との間に挟持固定され、この固定されたストッパーフレーム４で、一方の羽根１を他方の羽根２に対して所定の角度に支持するようになっている。
また、この蝶番ＨのストッパーＳは、ストッパーフレーム４の一端４１から他端４２までの長さ及び係止凹部２２の一方の側面部２２１から他方の側面部２２２までの長さの調整により、一方の羽根１の他方の羽根２に対して回動可能な所定の角度が調整され、この場合は、一方の羽根１が他方の羽根２に対して９０°まで回動可能に調整される。
【００１９】
図８にこの蝶番ＨをアタッシュケースＡに用いた場合を例示している。
図８（ａ）に示すように、蝶番Ｈの一方の羽根１はカバーケースＡ１の底面に取り付けられ、他方の羽根２は本体ケースＡ２の底面に取り付けられて、カバーケースＡ１と本体ケースＡ２が結合され、一方の羽根１が他方の羽根２に対して回動することにより、カバーケースＡ１が本体ケースＡ２に対して開閉自在となる。
そして、図８（ｂ）に示すように、本体ケースＡ２に対してカバーケースＡ１を開くと、一方の羽根１が他方の羽根２に対して連結軸３を中心にして対称の位置（１８０°の位置）から他方の羽根２に向けて所定の角度（この場合、９０°）まで回動され、これに連動して、ストッパーフレーム４の他端４２が係止凹部２２内を一方の側面部２２１から他方の側面部２２２に向けてスライドし、板ばね５の係止爪５３に衝接して板ばね５の弾性変位により係止爪５３を乗り超えることにより、このストッパーフレーム４の他端４２が弾性復帰する板ばね５の係止爪５３と係止凹部２２の他方の側面部２２２との間に挟持固定され、この固定されたストッパーフレーム４で、一方の羽根１が他方の羽根２に対して所定の角度（この場合、９０°）に支持され、これにより、カバーケースＡ１は本体ケースＡ２に対して所定の角度（この場合、９０°）で止まり、この状態が他方の羽根２の係止凹部２２内で動きを規制されたストッパーフレーム４により保持され、カバーケースＡ１に手や足が触れたりしてカバーケースＡ１を回動方向に押すなどカバーケースＡ１に回動方向に外力が作用しても、カバーケースＡ１は本体ケースＡ２側にもまたそれとは反対側へも倒れることがない。
なお、この状態からカバーケースＡ１を閉じる場合は、カバーケースＡ１を閉じる方向に瞬間的に少し力を加えることにより、他方の羽根２の係止凹部２２内でストッパーフレーム４の他端４２が他方の側面部２２２から板ばね５の係止爪５３に衝接して板ばね５の弾性変位により係止爪５３を乗り超えるので、ストッパーフレーム４の他端４２が係止凹部２２の他方の側面部２２２と板ばね５の係止爪５３との間の挟持から解放され、ストッパーフレーム４の他端４２は係止凹部２２の一方の側面部２２１に向けてスライド可能となり、カバーケースＡ１をそのまま本体ケースＡ２に向けて閉じればよい。
【００２０】
以上説明したように、この蝶番ＨのストッパーＳでは、上記の構成により、一対の羽根１、２の一方に連結軸３と平行に延びる係止溝１２を有し、一対の羽根１、２の他方に連結軸３と平行に延びる係止凹部２２を有し、枠状のストッパーフレーム４の一端４１が係止溝１２に係止され、他端４２を係止凹部２２内にスライド可能に配置されて、ストッパーフレーム４が一方の羽根１と他方の羽根２との間に架け渡しされ、板ばね５の基端部５２が他方の羽根２に他方の面側、すなわち、他方の羽根２の表面側で固定されて板ばね５が他方の羽根２の表面側で係止凹部２２の底面部２２３の開口２２０上に架け渡しされるとともに、板ばね先端部５１側の略Ｖ字形の係止爪５３が開口２２０を通して係止凹部２２内に突出して配置され、一方の羽根１が他方の羽根２に対して連結軸３を中心にして対称の位置（１８０°の位置）から他方の羽根２に向けて所定の角度（この場合、９０°）まで回動されると、これに連動して、ストッパーフレーム４の他端４２が係止凹部２２内を一方の側面部２２１から他方の側面部２２２に向けてスライドし、板ばね５の係止爪５３に衝接して板ばね５の弾性変位により係止爪５３を乗り超えることにより、このストッパーフレーム４の他端４２が弾性復帰する板ばね５の係止爪５３と係止凹部２２の他方の側面部２２２との間に挟持固定され、この固定されたストッパーフレーム４で、一方の羽根１を他方の羽根２に対して所定の角度に支持するようにしたので、この蝶番Ｈをアタッシュケースやスーツケースを含むこの種のケースに用いることにより、この蝶番ＨのストッパーＳでカバーケースの開放角度を本体ケースに対して所定の角度で止め、これを確実に保持することができる。
【００２１】
また、この蝶番Ｈはさらに次のような利点を有する。
（１）この蝶番ＨのストッパーＳでは、ストッパーフレーム４の一端４１から他端４２までの長さ及び係止凹部２２の一方の側面部２２１から他方の側面部２２２までの長さを調整することにより、一方の羽根１の他方の羽根２に対して回動可能な所定の角度が種々に調整されるので、所定の角度に多くのバリエーションを持たせた蝶番Ｈを提供することができる。
（２）この蝶番ＨのストッパーＳは、ストッパーフレーム４が、全体として略四角形の枠状に形成され、一端４１が一方の羽根１の係止溝１２に係止され、他端４２が他方の羽根２の係止凹部２２内で連結軸３に遠い他方の側面部２２２に配置されて、一方の羽根１と他方の羽根２との間に架け渡しされ、また、他方の羽根２の係止凹部２２の底面部２２３に開口２２０が他方の側面部２２２寄りに形成されてこの開口２２０の一方の側面部２２１側縁部に板ばね取付部２２４が設けられ、板ばね５は略矩形状の平板からなり、先端部５１側の一部が係止凹部２２の両側面部２２１、２２２と平行に断面略Ｖ字形に形成されて係止爪５３をなし、板ばね５の基端部５２を他方の羽根２の表面側で板ばね取付部２２４に固定されて表面側で開口２２０上に架け渡しされ、板ばね５の係止爪５３が開口２２０を通して係止凹部２２内に突出して配置されて構成されるので、蝶番ＨにストッパーＳを少ない部品点数の簡単な構造で、低コストに付設することができる。
【００２２】
なお、この実施の形態では、他方の羽根２の係止凹部２２の底面部２２３で開口２２０の一方の側面部２２１側縁部に板ばね取付部２２４が設けられ、板ばね５がこの板ばね取付部２２４に取り付けられて、他方の羽根２の開口２２０上に架け渡しされ、板ばね先端部５１側の係止爪５３が開口２２０を通して係止凹部２２内に突出して配置されているが、板ばね５の係止爪５３が係止凹部２２の両側面部２２１、２２２と平行に配置されていれば、板ばね５は係止凹部２２の開口２２０周辺のどこに取り付けられていてもかまわない。このようにしても上記実施の形態と同様の作用効果を得ることができる。
【符号の説明】
【００２３】
Ｈ  蝶番
１  一方の羽根
１０  筒部
１１  ねじ挿通孔
２  他方の羽根
２０  筒部
２１  ねじ挿通孔
３  連結軸
Ｓ  ストッパー
１２  係止溝
２２  係止凹部
２２０  開口
２２１  一方の側面部
２２２  他方の側面部
２２３  底面部
２２４  板ばね取付部
２２５  ねじ孔
４  ストッパーフレーム
４１  一端
４２  他端
５  板ばね
５１  先端部
５２  基端部
５３  係止爪
５４  ねじ挿通孔
５５  取付ねじ
Ａ  アタッシュケース
Ａ１  本体ケース
Ａ２  カバーケース
【図１】
2018200056.tif 000003
【図２】
2018200056.tif 000004
【図３】
2018200056.tif 000005
【図４】
2018200056.tif 000006
【図５】
2018200056.tif 000007
【図６】
2018200056.tif 000008
【図７】
2018200056.tif 000009
【図８】
2018200056.tif 000010